(57)【要約】【課題】 本発明は携帯端末装置および充電器・アダプタに関し、携帯端末装置にフック係合用の孔を形成する必要をなくすことを目的とする。【解決手段】充電器２に、バネにより携帯端末装置１に向けて付勢されているフック部２１を設ける。フック部２１の外形は、携帯端末装置１に形成された突起部１４に当接するように、突起部１４に対応した形状に形成されている。【選択図】図１
2008252534.tif 000002
【特許請求の範囲】
【請求項１】
携帯端末装置において、
前記携帯端末装置を構成する筐体の一端に、前記携帯電話装置が載置されるアダプタに設けられたフック部に対応する形状の突起が形成されていることを特徴とする、携帯端末装置。
【請求項２】
前記携帯端末装置は、
前記アダプタに前記携帯電話装置が載置された場合に下側に位置する第一の筐体と、
前記第一の筐体の上に配置される第二の筐体とを有し、
前記突起は前記第一の筐体に形成されていることを特徴とする、請求項１に記載の携帯端末装置。
【請求項３】
携帯端末装置が載置され、前記携帯端末装置に対する充電を行うための充電器において、
前記携帯端末装置の充電端子に電気的に接続される端子と、
前記充電器に載置された携帯端末装置の周囲を支持する壁面部と、
前記充電器の本体に対して軸支され、前記携帯端末装置の一端部を支持するフック部と、を備え、
前記フック部の形状は、前記携帯端末装置の筐体に形成された突起部に対応した形状を有することを特徴とする、充電器。
【請求項４】
前記充電器は、前記フック部を、前記充電器に載置された携帯端末装置に向かう方向に付勢する付勢手段をさらに有し、
前記付勢手段の付勢力によって、前記フック部が前記携帯端末装置を固定支持するよう構成されたことを特徴とする、請求項３に記載の充電器。
【請求項５】
前記充電器は、前記フック部が形成された前記充電器の第一の辺と対向する第二の辺に形成された、前記携帯端末装置の底部を支持する第一の壁面部と、
前記携帯端末装置の側面を支持する第二の壁面部と、を備えたことを特徴とする、請求項３に記載の充電器。
【請求項６】
前記充電器において、前記第一の壁面部には、前記充電器に載置された前記携帯端末装置の底面を部分的に露出させる第一の開口が形成されていることを特徴とする、請求項５に記載の充電器。
【請求項７】
前記充電器において、前記第一の壁面部と前記第二の壁面部との間に、前記充電器に載置された前記携帯端末装置の側面を部分的に露出させる第二の開口が形成されていることを特徴とする、請求項５に記載の充電器。
【発明の詳細な説明】
【技術分野】
【０００１】
本発明は携帯端末装置に関し、特に充電器などに装着可能な携帯端末装置に関する。また、本発明は充電器あるいは携帯端末装置が装着されるアダプタに関する。
【０００２】
以下、携帯端末装置として携帯電話装置を例示するが、これは本発明が携帯電話装置に限定されることを意図したものではない。
【背景技術】
【０００３】
図７は、携帯端末装置の一形態である携帯電話装置の外観を示す三面図である。図７に図示される携帯電話装置は、いわゆる折りたたみ式の筐体を有する装置である。
【０００４】
図７に示された携帯電話装置への充電を行うために、従来より卓上などに載置可能な携帯端末用の充電器が用いられていた。
【０００５】
図８は、従来の充電器の要部を拡大した図面である。従来の充電器は、携帯電話装置の上端に形成された嵌合用の孔に、充電器に設けられた可動フックをはめ込むことで、充電器にセットされた携帯電話装置を固定していた。
【特許文献１】特許公開２００５−００６１４９号公報
【特許文献２】特許公開平成１１−１１１３４４号公報
【発明の開示】
【発明が解決しようとする課題】
【０００６】
しかし、従来の充電器を用いるためには、携帯電話装置の上端部に孔を形成する必要があることから、デザイン性を損なうなど、携帯電話装置の外観上問題を生じていた。孔自体はそれほど大きなものではないが、携帯電話装置などでは装置の見た目が非常に重要であることから、孔を形成することは可能な限り避けることが要望されている。
【０００７】
また、携帯電話装置の上端付近には、アンテナなどの構造物が配置される。しかし、上記のような孔を装置筐体に形成しなければならないと、図７に示されるように孔の分だけ装置外壁が内側に張り出した状態となってしまう。そのために、孔を避けてアンテナを配置・実装しなければならないなど、携帯電話装置の内部構造物の配置・実装に制限が出てしまう。携帯電話装置は特に装置の小型化が強く求められているため、たとえわずかな凹部であっても内部構造物の実装に支障を来たす。
【０００８】
さらに、従来の充電器では、セットされる携帯電話装置の四周を囲むように壁面が設けられる。この壁面によって、携帯電話装置を安定して充電器に保持することが可能であるが、携帯電話装置の充電器への着脱操作に支障を生じる。図８の例では、まず携帯電話装置の底面を充電器にセットした後、携帯電話装置の上部を押し下げることで、携帯電話装置を充電器に装着する手順が取られる。この逆に、携帯電話装置の上部を先に充電器にセットしようとすると、充電器の壁面が携帯電話装置に当たってしまう。このため、携帯電話装置が傷ついてしまうなど、様々な問題が生じる可能性がある。
【０００９】
本発明は、上記の問題を解決するための携帯端末装置、充電器および携帯端末装置用アダプタを実現することを目的とする。
【課題を解決するための手段】
【００１０】
上記の課題を解決するために、本発明による携帯端末装置は、その筐体の一端に、携帯電話装置が載置されるアダプタに設けられたフック部に対応する形状の突起が形成されていることを特徴とする。
【００１１】
特に本発明による携帯端末装置は、アダプタに携帯電話装置が載置された場合に下側に位置する第一の筐体と、第一の筐体の上に配置される第二の筐体とを有し、突起は第一の筐体に形成されていることを特徴とする。
一方、本発明による充電器あるいはアダプタは、充電器に載置された携帯端末装置の周囲を支持する壁面部と、前記充電器・アダプタの本体に対して軸支され携帯端末装置の一端部を支持するフック部とを備え、フック部の形状は、携帯端末装置の筐体に形成された突起部に対応した形状を有することを特徴とする。
【００１２】
特に本発明は、フック部を携帯端末装置に向かう方向に付勢する付勢手段をさらに有し、付勢手段の付勢力によって、フック部が携帯端末装置を固定支持するよう構成されたことを特徴とする。
【００１３】
また、本発明は、フック部が形成された充電器・アダプタの第一の辺と対向する第二の辺に形成された、携帯端末装置の底部を支持する第一の壁面部と、携帯端末装置の側面を支持する第二の壁面部とを備えたことを特徴とする。
【００１４】
一方、本発明の第一の壁面部には、充電器・アダプタに載置された携帯端末装置の底面を部分的に露出させる第一の開口が形成されていることを特徴とする。
さらに本発明の第一の壁面部と第二の壁面部との間に、充電器・アダプタに載置された携帯端末装置の側面を部分的に露出させる第二の開口が形成されていることを特徴とする。
【００１５】
なお、フック部は、充電器・アダプタの一辺の最も端の位置に形成されている。また、フック部が形成された充電器・アダプタの一辺には、他の壁面を形成しないようにしてもよい。
【発明の効果】
【００１６】
本発明によれば、携帯端末装置に、充電器などのフックを係合させるための孔を形成する必要がなくなり、携帯端末装置の外観に問題を生じさせることを防止でき、さらに携帯端末装置内部の空間を従来の装置と比較して確保しやすくなるという効果が実現される。
【００１７】
また、本発明によれば、充電器などへの携帯端末装置へのセットが従来と比較して容易となる。
【発明を実施するための最良の形態】
【００１８】
図１は、本発明の一実施形態による携帯電話装置と、充電器を示した図面である。図１において、１は携帯電話装置、２は充電器である。
【００１９】
図１に示された携帯電話装置は、第一の筐体１１と第二の筐体１２とが、ヒンジ部１３にて互いに開閉可能に軸支されている。図１は、第一の筐体１１と第二の筐体１２とが閉じた状態を図示している。携帯電話装置１の第一の筐体１１において、ヒンジ部１３が形成された付近には、凸部１４が形成されている。凸部１４は、後述する充電器２の可動フック２１に係合する。
【００２０】
充電器２は、セットされた携帯電話装置１の一端部を支持する可動フック２１と、携帯電話装置１の底部付近を支持する第一の壁面部２２、および携帯電話装置１の上部側面を支持する第二の壁面部２３とを備えている。充電器２にセットされた携帯電話装置１は、第二の壁面部２３によりその左右方向が位置決めされる。
【００２１】
また、充電器２は、図示されない携帯電話装置１の充電端子に電気的に接続される端子２４を、第一の壁面部２２の内側に有する。さらに、図１図示左端にはコネクタ２５が設けられる。コネクタ２５には電源コードが接続され、これによって充電器２にセットされた携帯電話装置１に対する充電が行われる。
【００２２】
なお、図１に図示される充電器２の四辺のうち、可動フック２１が設けられた辺には壁面が形成されていいない。
【００２３】
図２は、本実施形態による充電器２への携帯電話装置１のセットを説明する図面である。図２に示されるように、携帯電話装置１の第一の筐体１１には、凸部１４が形成されている。充電器２の可動フック２１の先端２１ａは、凸部１４に係合する。また、可動フック２１は、図示両矢印方向に揺動可能に、充電器２の本体２５に取り付けられている。なお、通常時、可動フック２１は図示されない付勢手段によって、図示右側方向に常に付勢されている。
【００２４】
図２に図示される充電器２に携帯電話装置１を載置する際には、まず携帯電話装置１の底部（図示右側）を充電器２の第一の壁面部２２に当接する。この際、携帯電話装置１の充電端子と、充電器２の端子２４とが電気的に接続される。
【００２５】
この後、充電器２上で携帯電話装置１を図示下矢印方向に押し下げる。携帯電話装置１を押し下げていくと、凸部１４が可動フック２１と接触し、可動フック２１が凸部１４によって図示左側に押される。さらに携帯電話装置１を押し下げると、バネの付勢力によって可動フック２１の位置が図示右側に復帰しようとし、可動フック２１の上端２１ａが凸部１４に係合する。この際、可動フック２１が付勢されているため、可動フック２１によって携帯電話装置１の頭部が固定・支持される。
【００２６】
なお、凸部１４の外形は、筐体に勾配を持たせるような形状としてもよく、また筐体にふくらみを持たせるようにしてもよい。図２の例では、その断面が弧状に形成される。また、本実施形態による携帯電話装置１では、第一の筐体１１に凸部１４が形成されているため、その分第一の筐体１１内部の容積を多少ながらも増やすことができる。また、従来の携帯電話装置のように孔を形成する必要もないため、第一の筐体１１の内壁が内部に突出することもない。そのため、従来の携帯電話装置と比較して、図２に示された携帯電話装置１では、内部構造物を実装するスペースを確保しやすいという作用もなす。
【００２７】
図３は、本実施形態による可動フック２１周辺の構成を示した側面断面図である。図３に示されるように、可動フック２１は充電器２の図２図示最左端に設けられている。可動フック２１は、その断面がほぼＬ字状に形成されており、回動軸２１１によって軸支され充電器２の本体２５に対して回動可能となっている。
【００２８】
可動フック２１は、バネ２１２によって常に付勢されている。バネ２１２の一端２１２ａは、可動フック２１の端部２１ｂの上部に固定されている。一方、バネ２１２の他端２１２ｂは充電器本体２５の底面２５ａに当接している。このような構成を取ることによって、可動フック２１の端部２１ｂがバネ２１２によって図示下方に付勢されることとなり、結果として可動フック２１の先端２１ａが図示右方向に付勢される。
【００２９】
さらに図３は、可動フック２１と凸部１４とが係合した状態を示している。可動フック２１の先端２１ａは、凸部１４に対応した形状の窪みを持つように形成されている。そのため、携帯電話装置１が充電器２にセットされた状態で、可動フック２１の先端２１ａが凸部１４に係合するとともに、可動フック２１の先端２１ａによって凸部１４が安定して保持される。
【００３０】
図４は、携帯電話装置１がセットされた充電器２の四面図である。（ａ）は上面から見た状態を、（ｂ）は側面から見た状態を、（ｃ）は携帯電話装置１の頭部側から見た状態を、（ｄ）は携帯電話装置１の底部側から見た状態を、それぞれ示している。
【００３１】
図４にてハッチングされた部分は、携帯電話装置１の第一の筐体１１に対応している。本実施形態による充電器２は、ハッチングされた携帯電話装置１の部分が露出するよう、その外周部に空間を設けている。
【００３２】
例えば、携帯電話装置１の底部には一般的に、外部装置との間でデータの送受信を行うためのケーブルなどが接続されるコネクタ１１１が設けられている。ここで、携帯電話装置１の底部が壁面によって完全に覆われていると、充電器２にセットされた携帯電話装置１のコネクタ１１１にケーブルを接続することができない。しかし、本実施形態による充電器２では、第一の壁面部２２の中央部分に開口２２ａが形成されている。このため、携帯電話装置１を充電器にセットしたとしても、開口２２ａを介してケーブルをコネクタ１１１に接続することが可能となる。
【００３３】
また、携帯電話装置１の側面には、スピーカを用いて通話する場合に音量を調整するためのキーなど、各種のキーや、ＳＤカードなどの記憶媒体を収納するためのスロットなどが設けられている。携帯電話装置１への充電中にこれら各種キーを用いて操作をしようとした場合、本実施形態による充電器２では、第一の壁面部２２と第二の壁面部２３との間に開口２２ｂが形成されていることから、各種キーの操作を容易に行うことが可能となる。
【００３４】
携帯電話装置１の上端には、ストラップを取り付けるためのスペース１１２などが設けられている。また、近年は携帯電話装置１を用いてテレビ放送を受信することが要望されており、携帯電話装置１にテレビ放送を受信するためのアンテナ１１３も設けられることが多くなってきている。
【００３５】
本実施形態では、可動フック２１は携帯電話装置１の頭部の中央付近のみを把持するように構成されていることから、携帯電話装置１の上端付近にストラップを取り付けても、携帯電話装置１の充電器２へのセットには支障を生じない。特に、テレビ放送受信時には、アンテナ１１３を伸ばす必要があるが、この位置に充電器２の壁面が存在しないために、充電器２に携帯電話装置１をセットしつつ、携帯電話装置１を用いたテレビ放送の受信が可能となる。
【００３６】
さらに、携帯電話装置１の側面には、スピーカ１１４が設けられる。このようなスピーカ１１４は、携帯電話装置１を閉じた状態であっても、携帯電話装置１内部に記憶された音楽などの音声情報を聴けるようにするために設けられている。充電器２側面の壁面をあけることによって、スピーカ１１４位置をふさぐことが無くなり、音声情報を聴くための障害をなくすることが可能となる。
【００３７】
図５は、充電器２にセットされた携帯電話装置１の第二の筐体１２を開いた状態を示す図面である。特に図３に示されるように、本実施形態による可動フック２１は、第一の筐体１１を把持しているが、その把持位置は携帯電話装置１の図３図示下端に近い位置である。また、図１あるいは図４に示されるように、充電器２の上端（図２図示左端付近）には、可動フック２１以外の壁面その他の構成要素が設けられていない。そのため、第二の筐体１２を開いた際に、充電器２の壁面が第二の筐体１２に当たることが無い。
【００３８】
このような構成を採用することによって、図５に示されるように充電器２にセットされた状態でも、携帯電話装置１の第二の筐体１２を支障なく開くことが可能である。これによって、充電中の携帯電話装置の表示画面を用いて、各種情報の表示などを行うことができる。
【００３９】
図６は、本実施形態による充電器２への携帯電話装置１のその他のセット手順を示す図面である。図６に示される手順では、まず携帯電話装置の頭部を可動フック２１に当接させ、可動フック２１の先端２１ａと凸部１４とを係合させる。その後、携帯電話装置１を図示左矢印方向に押して、可動フック２１を図示左側に倒しつつ、携帯電話装置１の底部を下げていく。本実施形態による充電器２は、可動フック２１が設けられた側に壁面がないことから、携帯電話装置１を図示左側に動かしても携帯電話装置１の移動が妨げられない。また、充電器２にセット中の携帯電話装置１に壁面がぶつかることが無いため、携帯電話装置１の外面に傷がつくことなどを防止することが可能となる。
【図面の簡単な説明】
【００４０】
【図１】本発明の一実施形態による携帯電話装置と充電器との外観を示す図面である。
【図２】一実施形態による携帯電話装置を充電器に装着する手順を説明する図面である。
【図３】可動フックの構成を示す側面断面図である。
【図４】携帯電話装置が装着された充電器の四面図である。
【図５】充電器に装着された携帯電話装置を開いた状態を示す図面である。
【図６】携帯電話装置を充電器に装着する他の手順を説明する図面である。
【図７】従来の携帯電話装置の外観を示す図面である。
【図８】従来の充電器の要部拡大図である。
【符号の説明】
【００４１】
１      携帯電話装置
２      充電器
１４    凸部
２１    可動フック
２２    第一の壁面
２２ａ  開口
２２ｂ  開口
２３    第二の壁面
２１２  バネ
【図１】
2008252534.tif 000003
【図２】
2008252534.tif 000004
【図３】
2008252534.tif 000005
【図４】
2008252534.tif 000006
【図５】
2008252534.tif 000007
【図６】
2008252534.tif 000008
【図７】
2008252534.tif 000009
【図８】
2008252534.tif 000010